(57)【要約】【課題】画像の確認機能を向上させ、撮影機能の利便性を高める。【解決手段】被写体から得た画像を表示する表示部（ＬＣＤ２６）に、フォーカス状態に応じて接写撮影画面（６８）を表示する。接写撮影画面（６８）では、その画像の一部（拡大エリア８０）を抽出してディジタル処理によって拡大画像（８２）を生成し、その拡大画像（８２）が接写撮影画面（６８）の画像（７２）に代えて表示される。この拡大画像から接写撮影画面の画像の細部が確認可能である。【選択図】図１
2010187331.tif 000002
【特許請求の範囲】
【請求項１】
被写体を撮影する撮影装置であって、
被写体から得られる画像を表示する表示部と、
画像を記録する画像記録部と、
前記表示部に表示されている前記画像から一部又は全部の画像を抽出し、該画像から拡大画像を生成する拡大画像生成部と、
前記画像記録部に対する前記画像の取込み前に、前記拡大画像を前記表示部の前記画像に代え又は前記画像に重ねて表示する表示制御部と、
を備えることを特徴とする撮影装置。
【請求項２】
画像取込み指示を受け、前記拡大画像の抽出前の前記画像を前記画像記録部に記録させる画像記録制御部を備えることを特徴とする請求項１記載の撮影装置。
【請求項３】
被写体から画像を取得する撮影方法であって、
被写体から得られる画像を表示するステップと、
表示されている前記画像から一部又は全部の画像を抽出し、該画像から拡大画像を生成するステップと、
前記画像を記録手段に取り込む前に、前記拡大画像を表示中の前記画像に代え又は前記画像に重ねて表示するステップと、
を含むことを特徴とする撮影方法。
【請求項４】
コンピュータによって実行させる撮影プログラムであって、
被写体から得られる画像を表示する機能と、
表示されている前記画像から一部又は全部の画像を抽出し、該画像から拡大画像を生成する機能と、
前記画像を記録手段に取り込む前に、前記拡大画像を表示中の前記画像に代え又は前記画像に重ねて表示する機能と、
を含み、前記コンピュータに実現させる撮影プログラム。
【請求項５】
撮影機能を備える携帯端末装置であって、
被写体から得られる画像を表示する表示部と、
画像を記録する画像記録部と、
前記表示部に表示されている前記画像から一部又は全部の画像を抽出し、該画像から拡大画像を生成する拡大画像生成部と、
前記画像記録部に対する前記画像の取込み前に、前記拡大画像を前記表示部の前記画像に代え又は前記画像に重ねて表示する表示制御部と、
を備えることを特徴とする携帯端末装置。
【発明の詳細な説明】
【技術分野】
【０００１】
本発明は、被写体を撮影し、その画像を取得する撮影技術に関し、例えば、画像の拡大等の処理を拡充する装置及び方法に関する。
【背景技術】
【０００２】
撮影機能は、専用機としてのカメラのみならず、携帯電話機等の携帯端末装置やパーソナルコンピュータ等の電子情報を扱う電子機器に搭載されている。この撮影機能には、風景等の撮影モードや人物等を撮影するポートレート撮影モードの通常撮影モードの他、近接撮影を行う接写撮影モードがある。接写撮影モードは、手紙や新聞等を撮像し、その画像を画像情報として記録、保存する等の用途に用いられる等、各種の用途に向けられている。
【０００３】
この撮影機能に関し、携帯電話機に文字又はバーコードを撮影対象とするＯＣＲ機能モードが知られている（例えば、特許文献１）。また、ディジタルカメラにロゴマークを付し、このロゴマークの発光状態を変化させて動作状態を利用者に報知することが知られている（例えば、特許文献２）。
【先行技術文献】
【特許文献】
【０００４】
【特許文献１】特開２００５−９４７８２号公報
【特許文献２】特開２００８−１３４４３８号公報
【発明の概要】
【発明が解決しようとする課題】
【０００５】
ところで、手紙や新聞等、被写体が小さい文字等では、小さい画面に表示される画像は小さく、その画像を表示画面から視認できないという不都合がある。メール等のテキスト文書では、文字フォントを大きくすれば、画面に大きく表示できるが、ズーム機能により画像を拡大した場合には記録する画像自体が拡大されてしまい、確認目的だけの画像拡大には適さない。このようなズーム機能と記録画像との関係は、接写撮影モードに限らず、風景等の遠距離撮影やポートレート撮影でも同様である。ズーム機能を用いた拡大画像で被写体や画像を確認した後、ズームアップ前の画像を記録するには、ズームアップ前の画像に戻す操作が必要である。
【０００６】
このようなズーム操作を行えば、それが撮影時間に加わる。この場合、撮影可能な画像を表示していても、画像確認のためにズームモードに移行させ、ズーム解除の後、撮影に移行させるという操作が必要となる。このため、利用者の操作性や画像取得の迅速性が損なわれるという課題がある。
【０００７】
また、通常撮影モードから接写撮影モードへの切替えは手動操作で行われる。表示中の画像やその被写体が接写可能であるか否かに拘わらず接写撮影モードに切り替えられると、取得画像が利用者の予定するものと異なってしまうという問題がある。その場合、再撮影を余儀なくされる等の面倒があり、また、被写体によっては撮影時期を逸し、撮影できないという課題がある。
【０００８】
このような課題は既述の特許文献１、２に開示も示唆もされておらず、その解決手段の提示もない。
【０００９】
そこで、本開示の撮影装置、撮影方法、撮影プログラム又は携帯端末装置は、上記課題に鑑み、画像の確認機能を向上させ、撮影機能の利便性を高めることを目的とする。
【００１０】
また、本開示の撮影装置、撮影方法、撮影プログラム又は携帯端末装置の他の目的として、上記課題に鑑み、画像取込みに際し、画像の一部又は全部の拡大画像を前置表示し、その拡大画像から画像確認の容易化及び利便性を高めることにある。
【課題を解決するための手段】
【００１１】
上記課題を解決するため、本開示の撮影装置は、被写体から画像を取得する撮影装置であって、表示部と、画像記録部と、拡大画像生成部と、表示制御部とを備えればよい。表示部は、被写体から得られる画像を表示し、画像記録部は、その画像を記録する。拡大画像生成部は、前記表示部に表示されている前記画像から一部又は全部の画像を抽出し、該画像から拡大画像を生成し、表示制御部は、前記画像記録部への前記画像の取込み前に、前記拡大画像を前記表示部の前記画像に代え又は前記画像に重ねて表示する。これにより、画像取込み前の画像をその拡大画像によりフォーカス状態等を確認することができる。
【００１２】
また、本開示の撮影方法は、被写体から画像を取得する撮影方法であって、画像の表示と、拡大画像の生成と、拡大画像の表示とを含む。画像の表示では、被写体から得られる画像を表示し、拡大画像の生成では、表示されている前記画像から一部又は全部の画像を抽出し、該画像から拡大画像を生成する。そして、拡大画像の表示では、前記画像を記録手段に取り込む前に、前記拡大画像を表示中の前記画像に代え又は前記画像に重ねて表示する。これにより、本開示の撮影方法によっても、画像取込み前の画像をその拡大画像を用いて確認することができる。
【００１３】
また、本開示の撮影プログラムは、コンピュータによって実行させる撮影プログラムであって、画像の表示機能と、拡大画像の生成機能と、拡大画像の表示機能とを含んでいる。画像の表示機能では、被写体から得られる画像を表示し、拡大画像の生成機能能では、表示されている前記画像から一部又は全部の画像を抽出し、該画像から拡大画像を生成する。そして、拡大画像の表示機能では、前記画像を記録手段に取り込む前に、前記拡大画像を表示中の前記画像に代え又は前記画像に重ねて表示する。これにより、本開示の撮影プログラムによっても、画像取込み前の画像をその拡大画像を用いて確認することができる。
【００１４】
また、本開示の携帯端末装置は、撮影機能を備える携帯端末装置であって、表示部と、画像記録部と、拡大画像生成部と、表示制御部とを備えればよい。表示部は、被写体から得られる画像を表示し、画像記録部は、画像を記録する。拡大画像生成部は、前記表示部に表示されている前記画像から一部又は全部の画像を抽出し、該画像から拡大画像を生成し、表示制御部は、前記画像記録部への前記画像の取込み前に、前記拡大画像を前記表示部の前記画像に代え又は前記画像に重ねて表示する。これにより、本開示の携帯端末装置によっても、画像取込み前の画像をその拡大画像を用いて確認することができる。
【発明の効果】
【００１５】
本開示の撮影装置、撮影方法、撮影プログラム又は携帯端末装置によれば、次のような効果が得られる。
【００１６】
(1) 被写体から得られた画像から拡大画像を生成させ、この拡大画像を画像取込み前の画像に代え又はその画像に重ねて表示するので、その拡大画像によって取込み画像の状態又は細部を確認できる。
【００１７】
(2) 被写体から得られた画像から拡大画像が取込み前の画像の一部又は全部から生成され、その確認の後、拡大前の画像を取り込むことができる。
【００１８】
そして、本発明の他の目的、特徴及び利点は、添付図面及び各実施の形態を参照することにより、一層明確になるであろう。
【図面の簡単な説明】
【００１９】
【図１】第１の実施の形態に係るカメラ機能部の一例を示す図である。
【図２】第１の実施の形態に係る携帯電話機を示す図である。
【図３】メモリの一例を示す図である。
【図４】携帯電話機の前面部を示す図である。
【図５】携帯電話機の背面部を示す図である。
【図６】接写撮影画面を表示した携帯電話機の一例を示す図である。
【図７】拡大画像を表示した携帯電話機の一例を示す図である。
【図８】取込み画像の一例を示す図である。
【図９】拡大鏡機能を含む接写撮影モードの処理手順の一例を示すフローチャートである。
【図１０】第２の実施の形態に係る拡大鏡機能を含む接写撮影モードの処理手順の一例を示すフローチャートである。
【図１１】第３の実施の形態に係るカメラ機能部の一例を示す図である。
【図１２】第４の実施の形態に係る携帯電話機の一例を示す図である。
【図１３】第５の実施の形態に係る拡大画像表示の一例を示す図である。
【図１４】第６の実施の形態に係る遠距離撮影画面を表示した携帯電話機の一例を示す図である。
【図１５】第６の実施の形態に係る拡大画像を表示した携帯電話機の一例を示す図である。
【図１６】第６の実施の形態に係る拡大鏡機能を含む遠距離撮影モードの処理手順の一例を示すフローチャートである。
【図１７】第７の実施の形態に係るポートレート撮影画面を表示した携帯電話機の一例を示す図である。
【図１８】第７の実施の形態に係る拡大画像を表示した携帯電話機の一例を示す図である。
【図１９】第７の実施の形態に係る拡大鏡機能を含むポートレート撮影モードの処理手順の一例を示すフローチャートである。
【図２０】第８の実施の形態に係るメニュー表示画面を示す図である。
【図２１】第９の実施の形態に係る拡大倍率の異なる拡大鏡機能を示す図である。
【図２２】他の実施の形態に係るＰＤＡを示す図である。
【図２３】他の実施の形態に係るパーソナルコンピュータを示す図である。
【発明を実施するための形態】
【００２０】
〔第１の実施の形態〕
【００２１】
第１の実施の形態は、被写体を撮影する撮影装置、撮影方法、撮影プログラム及び携帯端末装置の一例であって、被写体から得た画像を表示する表示部に、フォーカス状態に応じて接写撮影画面を表示する。接写撮影画面では、その画像の一部（拡大エリア）を抽出してディジタル処理によって拡大画像を生成し、その拡大画像が接写撮影画面の画像に代えて表示される。この拡大画像から接写撮影画面の画像の細部が確認可能である。
【００２２】
また、この実施の形態では、接写撮影機能の使用が可能となった場合に接写撮影機能に切り替えるためのソフトキーが表示され、接写撮影機能への切り替え操作が行えるように利用者を誘導する。
【００２３】
また、この実施の形態では、被写体から得られている画像内容例えば、そのフォーカス状態から自動的に判断し、接写撮影機能への切り替えを行うことができる。
【００２４】
従って、この第１の実施の形態によれば、文書、バーコードリーダ、手書きメモ等を撮影する接写撮影機能で得られた画像の一部を拡大鏡機能により拡大して拡大画像を生成することができ、その拡大画像から接写撮影画像の細部を確認できる等、撮影機能の利便性を高めることができる。
【００２５】
この第１の実施の形態について、図１を参照する。図１は、第１の実施の形態に係るカメラ機能部の一例を示す図である。図１に示す構成は一例であって、斯かる構成に本発明が限定されるものではない。
【００２６】
このカメラ機能部２Ａは、撮影フレームに被写体から得られる画像上の拡大エリアから画像を抽出し、その画像から拡大画像を生成し、撮影フレームの画像の取込み前に、その拡大画像を表示する機能部の一例である。撮影フレームは被写体の撮影可能範囲である。拡大エリアは、撮影フレームの画像上に設定される拡大領域であって、前記画像の一部又は全部であり、撮影フレームの中心部でもよく、その中心部から外れた位置でもよい。
【００２７】
このカメラ機能部２Ａは、図１に示すように、拡大鏡機能付き接写撮影部４と、フォーカス状態通知部６と、メニューキー制御部８と、通常モード撮影部１０と、接写撮影モード切替え部１２と、画面表示制御部１４とを備える。
【００２８】
拡大鏡機能付き接写撮影部４は、被写体から得られた画像の一部（拡大エリア）の画像を抽出し、その画像から拡大画像を生成する拡大画像生成部、接写撮影を行う撮影機能部、画像記録制御部の一例である。この拡大鏡機能付き接写撮影部４は、フォーカス状態通知部６からの通知情報に基づいて、接写撮影が可能な画像が得られているか否かを判定する。接写撮影が可能な画像が得られていれば、接写撮影モード切替え部１２を通じて接写撮影モードに切り替えられる。拡大鏡機能は、被写体から得られた画像から抽出された画像を例えば、８倍に拡大する機能である。
【００２９】
フォーカス状態通知部６は、被写体から得られた画像のフォーカス状態を通知する機能部の一例であって、カメラピント情報としてフォーカス状態を拡大鏡機能付き接写撮影部４に通知する。フォーカス状態の通知はフォーカス状態にある画像に対する例えば、焦点距離情報である。
【００３０】
メニューキー制御部８は、拡大鏡、接写撮影等のメニューの選択制御を実行する機能部であって、メニューキーの選択操作に基づき、メニューの実行制御を行う。
【００３１】
通常モード撮影部１０は、接写撮影モード以外の撮影モードである通常撮影モード、遠距離撮影モード、ポートレート撮影モードを実行する機能部の一例である。ズーム機能は、接写撮影モードだけでなく、通常撮影モード、遠距離撮影モード又はポートレート撮影モードにも備えられ、接写撮影モードに限定されるものではない。遠距離撮影モードは、望遠撮影を含むモードである。
【００３２】
接写撮影モード切替え部１２は、通常撮影モードから接写撮影モードへの切り替え、接写撮影を実行する機能部の一例であって、この接写撮影モードには、ズーム機能モードと、拡大鏡機能モードとを備えている。ズーム機能モードは、画像の倍率をキー操作により段階的に拡大又は縮小する機能である。拡大鏡機能モードは、撮影フレームの中心部の拡大エリアを抽出して所定の倍率の拡大画像を生成する機能である。
【００３３】
画面表示制御部１４は、ＬＣＤ（Liquid Crystal Display）等で構成される表示部の制御部の一例であって、被写体から得られた画像の表示、その画像の拡大画像の表示、通常画像から拡大画像への切替え、拡大画像から通常画像への切替え等の制御を行う。
【００３４】
次に、このカメラ機能部２Ａを実現するハードウェアについて、図２及び図３を参照する。図２は、第１の実施の形態に係る携帯電話機を示す図、図３は、メモリを示す図である。図２及び図３に示す構成は一例であって、斯かる構成に本発明が限定されるものではない。図２及び図３において、同一部分には同一符号を付してある。
【００３５】
この携帯電話機１６は、撮影装置、撮影方法、撮影プログラム又は携帯端末装置の一例であって、この実施の形態では、既述のカメラ機能部２Ａを実現する。そこで、この携帯電話機１６には、図２に示すように、カメラ装置部１８と、ＣＰＵ（Central Processing Unit ）２０と、メモリ２２と、キー部２４と、ＬＣＤ２６と、音声入出力部２８とを備える。その他、図示しないが、電話機能部等を備える。
【００３６】
カメラ装置部１８は、被写体から画像を取得する機能部の一例であって、被写体から画像を取得するための光学系、フォーカス機構、撮像素子として例えば、ＣＣＤ（Charge Coupled Device ）、その他の機能部等を備え、被写体に対し光学系をフォーカス状態に制御し、被写体から画像を取得する。
【００３７】
ＣＰＵ２０は、画像情報の処理部、各種機能部の制御部の一例であって、拡大画像生成部、表示制御部、画像記録制御部を構成する。このＣＰＵ２０では、メモリ２２にあるＯＳ（Operating System）やアプリケーションプログラムを実行して既述のカメラ機能部２Ａの実現、カメラ装置部１８、キー部２４、ＬＣＤ２６等の各種機能部の制御や情報の取込み等を行う。
【００３８】
メモリ２２は、ＯＳやアプリケーションプログラムを格納し、取得した画像を記録する記録部の一例であって、記録媒体で構成される。
【００３９】
キー部２４は、入力操作部の一例であって、撮影のためのシャッターキー、拡大鏡機能、接写機能等の選択キー、ＬＣＤ２６に画像で表示されたソフトキーに対応する機能キーであり、これら機能キーには、拡大倍率指示手段、拡大指示手段又は画像取込み指示手段の何れか又は２以上の機能が割り当てられる。ここで、拡大倍率指示手段は、拡大倍率の指示をする手段である。拡大指示手段は、拡大画像を生成するための指示をする手段である。また、画像取込み指示手段は、撮像している画像の取込み、撮影の指示をする手段である。
【００４０】
ＬＣＤ２６は、画像を表示する表示部の一例であって、被写体から得られた画像、その画像の一部又は全部を拡大した拡大画像、機能を選択するためのソフトキー、そのソフトキーには、拡大倍率指示手段、拡大指示手段、画像取込み指示手段としての機能が割り当てられ、それらを画像で表示する。
【００４１】
音声入出力部２８は、音声を入力又は出力する機能部の一例であって、音声増幅器の他、スピーカ３０Ｒ、３０Ｌ、レシーバ３２、マイクロフォン３４等を備え、機能切替えを表す音やガイド音声の出力や、通話音声の入出力を行う。
【００４２】
また、メモリ２２は、図３に示すように、プログラム記憶部２２２と、画像記憶部２２４と、データ記憶部２２６と、ＲＡＭ（Random-Access Memory）２２８とを備える。プログラム記憶部２２２は、ＲＯＭ（Read-Only Memory）の一例であって、既述のＯＳやアプリケーションプログラムとして撮影プログラム、画像の抽出やその拡大、縮小のためのサブルーチン等の各種のプログラムが格納されている。
【００４３】
画像記憶部２２４は、被写体から得られた画像を記録する画像記録部の一例であって、フラッシュメモリ等の記録媒体で構成される。データ記憶部２２６は、取得された各種のデータの格納部の一例であって、フラッシュメモリ等の記録媒体で構成される。
【００４４】
また、ＲＡＭ２２８は、ＯＳやアプリケーションプログラムを展開するワークエリアを構成する。既述のカメラ機能部２Ａは、このＲＡＭ２２８、ＣＰＵ２０等によって実現される。
【００４５】
次に、この携帯電話機１６の詳細について、図４及び図５を参照する。図４は、携帯電話機の前面部を示す図、図５は、携帯電話機の背面部を示す図である。図４及び図５に示す構成は一例であって、斯かる構成に本発明が限定されるものではない。図４及び図５において、図２と同一部分には同一符号を付してある。
【００４６】
この携帯電話機１６は、図４に示すように、第１の筐体部３６と、第２の筐体部３８とをヒンジ部４０によって開閉可能に連結したものである。筐体部３６は固定側筐体部を構成し、筐体部３８は可動側筐体部を構成する。筐体部３６の前面部には、キー部２４、マイクロフォン３４等が設置され、このキー部２４はハードキーの一例であって、利用者によって情報入力や選択等の操作に供される入力操作部を構成する。
【００４７】
このキー部２４には既述の機能が割り当てられたハードキーが配置されている。このハードキーには、メニューキー４２、電話帳キー４４、カーソルキー４６、決定キー４８、開始キー５０、終了／電源キー５２、クリアキー５４、記号キー５６が含まれる。カーソルキー４６は上カーソルキー４６Ｕ、左カーソルキー４６Ｌ、右カーソルキー４６Ｒ、下カーソルキー４６Ｄ（図６）（以下、単に「上キー４６Ｕ、左キー４６Ｌ、右キー４６Ｒ、下キー４６Ｄ」と称する。）を備え、上キー４６Ｕ、左キー４６Ｌ、右キー４６Ｒ、下キー４６Ｄには、ＬＣＤ２６の表示画面５８に表示されたカーソルの移動操作や、その他の機能が割り当てられる。
【００４８】
筐体部３８の前面部には、スピーカ３０Ｌ、３０Ｒ、レシーバ３２、第１の表示部であるＬＣＤ２６の表示画面５８、インカメラ６０が配置されている。
【００４９】
また、筐体部３８の背面部には、図５に示すように、第２の表示部であるＬＣＤ６２の表示画面６４、カメラ装置部１８のカメラ部６６が設置されている。
【００５０】
次に、接写撮影モードについて、図６、図７及び図８を参照する。図６は、接写撮影モードの画面表示の一例を示す図、図７は、拡大画像表示の一例を示す図、図８は、取込み画像の一例を示す図である。図６〜図８に示す構成は一例であって、斯かる構成に本発明が限定されるものではない。図６〜図８において、図４と同一部分には同一符号を付してある。
【００５１】
接写撮影モードの場合、図６に示すように、ＬＣＤ２６の表示画面５８に接写撮影画面６８が表示される。この接写撮影画面６８には、第１ないし第５の表示領域６８１、６８２、６８３、６８４、６８５が設定されている。表示領域６８１には電話機能や時刻等が表示され、表示領域６８２にはモードを示すタイトル等が表示され、この場合、「接写撮影」と表示され、現在動作中の機能が接写撮影モードであることを示している。
【００５２】
表示領域６８３は主表示領域であって、撮影フレームの画像が表示され、接写撮影モードを表すマーク７０ａと、接写撮影された画像７２が表示されている。表示領域６８４には撮影サイズの大きさ情報とともに、その撮影サイズに対応した撮影枚数の残量情報が表示される。
【００５３】
そして、表示領域６８５はソフトキー表示領域であって、ソフトキーとしてメニューキー７４、撮影キー７６、拡大鏡キー７８がその機能情報「メニュー」、「撮影」、「拡大鏡」とともに表示される。メニューキー７４の操作は、ハードキーであるメニューキー４２に割り当てられ、撮影キー７６の操作は、ハードキーである決定キー４８に割り当てられ、拡大鏡キー７８の操作は、ハードキーである電話帳キー４４に割り当てられている。そこで、拡大鏡キー７８は発光表示とし、電話帳キー４４は点滅表示とすることにより、利用者に操作を促す構成としてもよい。
【００５４】
この表示状態において、拡大鏡キー７８が割り当てられた電話帳キー４４を押下すれば、拡大鏡機能モードに移行する。この拡大鏡機能モードでは、電話帳キー４４の押下を契機に、拡大鏡機能が実行される。この拡大鏡機能では、撮影フレームの画像７２の中央に設定された拡大エリア８０の画像（画像７２の一部）が抽出され、その拡大画像８２（図７）が生成される。この拡大画像８２は、図７に示すように、表示領域６８２、６８３の全域に表示される。このとき、表示領域６８５には、ソフトキーとしてメニューキー７４、撮影キー７６が表示されるとともに、既述の拡大鏡キー７８に代え、接写撮影キー８３が表示される。これらのソフトキーを表す機能情報として、「メニュー」、「撮影」、「接写撮影」が表示される。
【００５５】
この拡大画像８２の表示状態から撮影キー７６を押下すれば、接写撮影モードの画像７２の表示状態に戻り（図６）、図８に示す画像８４が画像記憶部２２４に取り込まれる。この画像８４は、拡大画像８２の表示前の画像７２と同一である。
【００５６】
次に、接写撮影モードを含む撮影の処理手順について、図９を参照する。図９は、拡大鏡機能を含む接写撮影モードの処理手順を示すフローチャートである。図９に示す構成は一例であって、斯かる構成に本発明が限定されるものではない。
【００５７】
この処理手順は、撮影方法又は撮影プログラムの一例である。撮影は、携帯電話機１６のメニュー画面からカメラ機能を起動させる。この撮影では、被写体から得られる画像情報によりフォーカス状態がフォーカス状態通知部６で検知される。このフォーカス状態通知部６からフォーカス状態通知が発せられ、拡大鏡機能付き接写撮影部４に通知され（ステップＳ１１）、その通知情報から接写機能が使用可能であるか否かが判定される（ステップＳ１２）。この判定は、接写撮影が可能であるか否かの判定である。
【００５８】
接写機能が使用可能であれば（ステップＳ１２のＹＥＳ）、接写撮影モードに移行し、接写撮影画面６８（図６）が表示され（ステップＳ１３）、このとき、既述の拡大鏡キー７８が表示される（ステップＳ１４）。
【００５９】
この接写撮影画面６８の表示状態では、キー操作により、写真撮影、拡大鏡機能又はズーム機能の各機能が選択可能である（ステップＳ１５）。そこで、この状態から、撮影キー７６を押下すれば、写真撮影に移行し（ステップＳ１６）、現在の接写撮影画面６８に表示されている画像８４（図８）が取り込まれる。この場合、ズームによる画像拡大及び縮小や、拡大鏡機能には無関係となる。
【００６０】
また、拡大鏡キー７８を押下すれば、拡大エリア８０（図６）の画像から拡大画像８２（図７）が生成され、その拡大画像８２の倍率は例えば、８倍である（ステップＳ１７）。この拡大画像８２が拡大前の画像７２に代えて拡大鏡画面として表示される（ステップＳ１８）。利用者は、拡大画像８２から接写撮影画面６８の画像７２（図６）の細部を確認することができる。
【００６１】
この拡大画像８２の表示状態では、既述の接写撮影キー８３が表示され（ステップＳ１９）、この接写撮影キー８３に対応する電話帳キー４４の押下により、接写撮影キー８３を操作すれば（ステップＳ２０のＹＥＳ）、ステップＳ１３に戻る。
【００６２】
また、ステップＳ１５において、ズーム機能の選択は、ハードキーである上キー４６Ｕ又は下キー４６Ｄによって実行される。上キー４６Ｕは画像を拡大するための拡大キー、下キー４６Ｄは画像を縮小するための縮小キーに設定されている。そこで、上キー４６Ｕが押下されると、倍率を１レベル上昇（ステップＳ２１）、また、下キー４６Ｄが押下されると、倍率を１レベル下降（ステップＳ２２）の処理が連続的に行える。この場合、１レベルは、例えば、倍率で２倍程度とすればよい。このズーム機能は、拡大鏡機能と異なり、拡大又は縮小された画像が取込み画像となり、任意に設定された倍率の画像状態で撮影キー７６を押下すれば、表示されている画像が画像記憶部２２４に取り込まれる。
【００６３】
この実施の形態では、ソフトキーの表示により、利用者にその操作を誘導することができるが、切り替えるソフトキーが画面上に表示された場合、音声入出力部２８を音声発生部として機能させ、機能切替えが可能な状態になったことを表すガイド音声で通知してもよい。このような通知を受けた利用者は操作が促され、ソフトキーやハードキーの表示とともに、その操作を誘導でき、操作の利便性が高められる。
【００６４】
上記した第１の実施の形態について、特徴事項、利点又は変形例等を列挙する。
【００６５】
(1) 以上述べたように、撮影機能に拡大鏡機能を追加している。この実施の形態では、フォーカス状態通知部６よりフォーカス状態の通知を受け、接写撮影機能の利用可能状態になったことをフォーカス状態で判断し、接写撮影画面６８を表示する。この接写撮影画面６８では、拡大鏡キー７８を表示し、ワンタッチ操作により、画像（標準画像）の例えば、８倍の拡大画像８２を表示する。接写撮影画面６８では、キー操作によって、次のような操作を行うことができる。
【００６６】
接写撮影画面６８からズーム機能を起動することができ、拡大キー例えば、上キー４６Ｕを押し続けた場合、１レベル単位でズームアップが行え、また、縮小キー例えば、下キー４６Ｄを押し続けた場合、１レベル単位でズームダウンが行える。
【００６７】
また、ソフトキーである拡大鏡キー７８を押下した場合、拡大鏡機能が起動し、中心部の８倍ズームを行い、拡大鏡画面を表示することができる。
【００６８】
撮影キー（例えば、決定キーや実行キー）を押下した場合、写真の撮影が行える。この場合、拡大鏡画面を表示した後は、ソフトキーである接写撮影キーを画面に表示する。また、拡大鏡画面で接写撮影キーを押下した場合には、拡大鏡キーの押下前の拡大率の画面が表示される。
【００６９】
(2) 拡大鏡、バーコードリーダ、手書きメモ等、接写状態にて使用する接写機能への切替えを適切な状態で且つ容易に実行することが可能である。
【００７０】
(3) 接写撮影状態になったときに、自動的に利用者に使用可能な接写機能への切替えをソフトキー表示と画面点滅、ハードキー点滅により、誘導することを可能とする。また、音声による通知によって、視覚障害のある利用者への利便性を拡大できる。
【００７１】
(4) 切り替える機能をカメラが写している映像の内容から自動で判断できる構成としてもよく、この自動判断で切り替える機能を選択又は起動させれば、使用したい機能を意識せず、機能を切り替えることが可能となる。
【００７２】
(5) ところで、携帯電話機を高齢者が利用する場合には、携帯電話機の小さな表示画面に、文章を大きな文字で表示したいという要求がある。メールのテキスト文章については、文字フォントを大きくすることが可能だったが、従前の接写撮影では、小さな文字を撮影しようとした場合、小さな画面に表示される文字が小さく表示されるため、利用者が写したい文書が、画面に表示されているか否かを確認することができないという問題があった。
【００７３】
この課題について、従来の接写撮影機能では、カーソルキーを押し続けることにより、文字のズームアップをすることが可能であったが、撮影時には、ズームアップした画面を元に戻して撮影することが必要となり、撮影するまでにズーム操作の時間が余計にかかるとともに、利用者の操作性を損なうという課題があった。
【００７４】
これに対し、第１の実施の形態に係る携帯電話機等の携帯端末装置では、小さな文字を接写で撮影しようとした場合、自動的に拡大鏡機能を利用可能なメニューキーを表示させ、その表示を点滅させる等により誘導し、そのキーを押下することで、一時的に撮影画面の中心部の拡大画像（例えば、８倍ズーム）を生成表示することにより、接写部分の位置の確認後に、接写撮影に戻し、そのまま撮影することができる。即ち、上記課題が解決されたのである。
【００７５】
(6) 図９に示すフローチャートにおいて、ステップＳ２０の接写撮影キー８３の押下により、拡大前の画像８４（図８）が画像記憶部２２４に取り込まれる構成としてもよい。
【００７６】
〔第２の実施の形態〕
【００７７】
次に、第２の実施の形態は、フォーカス状態を表す情報として焦点距離から接写撮影機能が可能であるか否かを判断する機能を含む構成である。
【００７８】
この第２の実施の形態について、図１０を参照する。図１０は、第２の実施の形態に係る拡大鏡機能を含む接写撮影モードの処理手順の一例を示すフローチャートである。図１０に示す構成は一例であって、斯かる構成に本発明が限定されるものではない。
【００７９】
この処理手順は、撮影方法又は撮影プログラムの一例である。第１の実施の形態と同様に、撮影は、携帯電話機１６のメニュー画面からカメラ機能を起動させる。この撮影では、被写体から得られる画像情報によりフォーカス状態がフォーカス状態通知部６で検知される。このフォーカス状態通知部６から拡大鏡機能付き接写撮影部４にフォーカス状態が通知され（ステップＳ３１）、焦点距離が通知される（ステップＳ３２）。そこで、この焦点距離と接写機能使用距離とを比較し（ステップＳ３３）、接写機能が使用可能であるか否かが判定される（ステップＳ３４）。既述したように、この判定は、接写撮影が可能であるか否かの判定である。
【００８０】
接写機能が使用可能であれば（ステップＳ３４のＹＥＳ）、自動的に機能選択として接写撮影モードに移行し、接写撮影画面６８が表示され（ステップＳ３５）、このとき、既述の拡大鏡キー７８が表示される（ステップＳ３６）。
【００８１】
この接写撮影画面６８の表示状態では、キー操作により、写真撮影、拡大鏡機能又はズーム機能の各機能が選択可能である（ステップＳ３７）。そこで、この状態から、撮影キー７６を押下すれば、写真撮影に移行し（ステップＳ３８）、現在の接写撮影画面６８に表示されている画像８４（図８）が取り込まれる。この場合、ズームによる画像拡大及び縮小や、拡大鏡機能には無関係となる。
【００８２】
また、拡大鏡キー７８を押下すれば、撮影フレームの中心部の拡大エリア８０を抽出し、例えば、倍率を８倍にしたものを拡大画像８２（図７）として生成し、これを拡大鏡の映像として画像記憶部２２４に記録する（ステップＳ３９）。この拡大画像８２を画像７２に代えて拡大鏡画面として表示する（ステップＳ４０）。利用者は、拡大画像８２から接写撮影画面６８の画像７２（図６）の細部を確認することができる。
【００８３】
この拡大画像８２の表示状態では、既述の接写撮影キー８３が表示される（ステップＳ４１）。この表示状態から撮影か接写撮影画面６８に復帰するかの機能選択が行われ、選択されたキー操作を判定する（ステップＳ４２）。撮影キー７６を操作すれば、ステップＳ３８と同様に、写真撮影に移行し（ステップＳ４３）、接写撮影画面６８に表示されていた画像８４（図８）が取り込まれる。即ち、拡大前の画像が取り込まれる。
【００８４】
また、接写撮影キー８３が押下された場合には、ステップＳ３５に戻り、拡大画像表示前の接写撮影画面６８の表示に戻る。
【００８５】
また、ステップＳ３７において、ズーム機能の選択は、ハードキーである上キー４６Ｕ又は下キー４６Ｄによって実行される。上キー４６Ｕは画像を拡大するための拡大キー、下キー４６Ｄは画像を縮小するための縮小キーに設定されている。そこで、上キー４６Ｕが押下されると、倍率を１レベル上昇（ステップＳ４４）、また、下キー４６Ｄが押下されると、倍率を１レベル下降（ステップＳ４５）の処理が連続的に行える。この場合、１レベルは、例えば、倍率で２倍程度とすればよい。このズーム機能は、拡大鏡機能と異なり、拡大又は縮小された画像が取込み画像となり、任意に設定された倍率の画像状態で撮影キー７６を押下すれば、表示されている画像が画像記憶部２２４に取り込まれる。
【００８６】
この実施の形態においても、第１の実施の形態と同様の効果や利点がある。
【００８７】
〔第３の実施の形態〕
【００８８】
第３の実施の形態は、第１の実施の形態にソフトキーの点滅制御を付加し、ソフトキーの点滅表示によって機能切替え等に利用者を誘導する構成である。
【００８９】
この第３の実施の形態について、図１１を参照する。図１１は、第３の実施の形態に係るカメラ機能部の一例を示す図である。図１１に示す構成は一例であって、斯かる構成に本発明が限定されるものではない。図１１において、図１と同一部分には同一符号を付してある。
【００９０】
このカメラ機能部２Ｂは既述のメニューキー制御部８とともにソフトキー点滅制御部８６を備える。このソフトキー点滅制御部８６は、接写撮影モードにおいて、拡大鏡キー７８（図６）が表示された際に、この拡大鏡キー７８を点滅させ、拡大鏡機能の切替えに利用者を誘導する。
【００９１】
また、拡大画像８２（図７）が表示され、接写撮影キー８３が表示されると、その表示に対応し、この接写撮影キー８３を点滅させ、接写撮影モードの切替えに利用者を誘導する。
【００９２】
斯かる構成とすれば、切り替えるソフトキー、画面上のソフトキーを示す位置を点滅させ、操作すべきソフトキーを他のソフトキーやハードキーと区別することが容易になり、また、機能切替えやモード切替えに利用者が誘導され、的確かつ迅速な操作を行え、撮影機能の利便性が高められる。
【００９３】
このように、小さな文字を接写撮影する場合には、自動的に拡大鏡機能を利用可能な拡大鏡キーが点滅を始め、そのキーを押下することで、一時的に接写撮影画面の中心部を拡大表示（例えば、８倍ズーム）することができ、接写部分の位置の確認後に、接写撮影に戻り、そのまま撮影することができる。
【００９４】
その他の構成は、第１の実施の形態と同様であるので、その説明を省略する。
【００９５】
〔第４の実施の形態〕
【００９６】
第４の実施の形態は、第１の実施の形態にソフトキーの点滅制御を付加し、ハードキーの発光表示によって機能切替え等に利用者を誘導する構成である。
【００９７】
この第４の実施の形態について、図１２を参照する。図１２は、第４の実施の形態に係る携帯電話機の一例を示す図である。図１２に示す構成は一例であって、斯かる構成に本発明が限定されるものではない。図１２において、図２と同一部分には同一符号を付してある。
【００９８】
この携帯電話機１６にはハードキー発光部８８を備える。このハードキー発光部８８は、利用者にハードキーの選択を促すための発光機能部の一例であって、ＣＰＵ２０の制御により、特定の機能動作中に機能選択や操作のための機能が割り当てられているハードキーを発光させ、利用者の操作を誘導する。
【００９９】
このハードキー発光部８８は例えば、接写撮影モードにおいて、拡大鏡キー７８（図６）が表示された際に、この拡大鏡キー７８に対応するハードキーである電話帳キー４４を発光させ、その発光により、拡大鏡機能の切替えに利用者を誘導する。電話帳キー４４の内側に例えば、ＬＥＤ（Light Emitting Diode）等の発光素子を設置すれば、その点灯により電話帳キー４４を発光させることができる。
【０１００】
また、拡大画像８２（図７）が表示され、接写撮影キー８３が表示されると、その表示に対応し、この接写撮影キー８３に対応する電話帳キー４４を同様に発光させ、接写撮影モードの切替えに利用者を誘導する。この発光にも同様にＬＥＤ等の発光素子を用いればよい。その他の構成は、第１の実施の形態と同様であるので、その説明を省略する。
【０１０１】
斯かる構成とすれば、切り替えるハードキーを発光させ、操作すべきハードキーを他のソフトキーやハードキーと区別することができ、また、機能切替えやモード切替えに利用者が誘導され、的確かつ迅速な操作を行え、撮影機能の利便性が高められる。
【０１０２】
〔第５の実施の形態〕
【０１０３】
この第５の実施の形態は、接写撮影画面に拡大画像を重ねて表示し、接写撮影画像と拡大画像とを併せて視認可能としたものである。
【０１０４】
この第５の実施の形態について、図１３を参照する。図１３は、第５の実施の形態に係る拡大表示を示す図である。図１３に示す構成は一例であって、斯かる構成に本発明が限定されるものではない。図１３において、図４、図６、図７と同一部分には同一符号を付してある。
【０１０５】
既述の第１ないし第４の実施の形態では、被写体から得られた画像７２（図６）に代えて拡大画像８２（図７）を表示しているのに対し、図１３に示すように、拡大前の画像７２に拡大画像８２を重ねることにより、拡大前の画像７２と拡大画像８２とを同時に表示してもよい。この場合、拡大画像８２の倍率は第１ないし第４の実施の形態の倍率より小さく設定すればよい。
【０１０６】
斯かる構成とすれば、拡大前の画像７２と拡大画像８２とを同時に確認できる。換言すれば、取り込むための画像８４（図８）と拡大画像８２とを同時に確認できる。
【０１０７】
〔第６の実施の形態〕
【０１０８】
第６の実施の形態は遠方にある被写体を撮影する場合等に用いられる遠距離撮影モードに拡大鏡機能を適用したものである。
【０１０９】
この第６の実施の形態について、図１４及び図１５を参照する。図１４は、第６の実施の形態に係る遠距離撮影モードの画面表示の一例を示す図、図１５は、拡大表示画面の一例を示す図である。図１４及び図１５に示す構成は一例であって、斯かる構成に本発明が限定されるものではない。図１４及び図１５において、図４、図６、図７と同一部分には同一符号を付してある。
【０１１０】
遠距離撮影モードの場合、図１４に示すように、ＬＣＤ２６の表示画面５８に遠距離撮影画面１６８が表示される。この遠距離撮影画面１６８にも同様に第１ないし第５の表示領域６８１、６８２、６８３、６８４、６８５が設定される。表示領域６８１には電話機能や時刻等が表示され、表示領域６８２にはモードを示すタイトル等が表示され、この場合、「遠距離撮影」と表示され、現在動作中の機能が遠距離撮影モードであることを示している。
【０１１１】
表示領域６８３は主表示領域であって、撮影フレームの画像が表示され、遠距離撮影モードを表すマーク７０ｂと、遠距離撮影された遠距離画像１７２が表示されている。表示領域６８４には撮影サイズの大きさ情報とともに、その撮影サイズに対応した撮影枚数の残量情報が表示される。
【０１１２】
そして、表示領域６８５はソフトキー表示領域であって、ソフトキーとしてメニューキー７４、撮影キー７６、拡大鏡キー７８がその機能情報「メニュー」、「撮影」、「拡大鏡」とともに表示される。メニューキー７４の操作は、ハードキーであるメニューキー４２に割り当てられ、撮影キー７６の操作は、ハードキーである決定キー４８に割り当てられ、拡大鏡キー７８の操作は、ハードキーである電話帳キー４４に割り当てられている。そこで、拡大鏡キー７８は発光表示とし、電話帳キー４４は点滅表示とすることにより、利用者に操作を促す構成としてもよい。
【０１１３】
この表示状態において、拡大鏡キー７８が割り当てられた電話帳キー４４を押下すれば、拡大鏡機能モードに移行する。この拡大鏡機能モードでは、電話帳キー４４の押下を契機に、拡大鏡機能が実行される。この拡大鏡機能では、撮影フレームの画像１７２の中央に設定された拡大エリア８０の画像（画像１７２の一部）が抽出され、その拡大画像１８２（図１５）が生成される。この拡大画像１８２は、図１５に示すように、表示領域６８２、６８３の全域に表示される。このとき、表示領域６８５には、ソフトキーとしてメニューキー７４、撮影キー７６が表示されるとともに、既述の拡大鏡キー７８に代え、遠距離撮影キー１８３が表示される。これらのソフトキーを表す機能情報として、「メニュー」、「撮影」、「遠距離撮影」が表示される。
【０１１４】
この拡大画像１８２の表示状態から遠距離撮影キー１７８を押下すれば、遠距離撮影モードの画像１７２の表示状態に戻る（図１４）。この場合、拡大前の画像１７２が画像記憶部２２４に取り込まれる。また、拡大前の画像１７２の表示の後、再度、撮影キー７６を押下し、画像取込みを行う構成でもよい。
【０１１５】
次に、遠距離撮影モードを含む撮影の処理手順について、図１６を参照する。図１６は、拡大鏡機能を含む遠距離撮影モードの処理手順の一例を示すフローチャートである。図１６に示す構成は一例であって、斯かる構成に本発明が限定されるものではない。
【０１１６】
この実施の形態では、カメラ機能部２Ａに既述の拡大鏡機能付き接写撮影部４（図１）に代えて拡大鏡機能付き遠距離撮影部、接写撮影モード切替え部１２に代えて遠距離撮影モード切替え部を備える構成とすればよい。この場合、拡大鏡機能付き遠距離撮影部は、遠距離画像をその取込み前に拡大鏡機能によって拡大画像を表示させる機能部であり、遠距離撮影モード切替え部は、遠距離撮影モードに切り替え、遠距離撮影モードを実行させるための機能部である。
【０１１７】
そこで、この遠距離撮影モードを含む撮影の処理手順は、撮影方法又は撮影プログラムの一例である。この処理手順においても、第１の実施の形態と同様に、撮影は、携帯電話機１６のメニュー画面からカメラ機能を起動させる。この撮影では、被写体から得られる画像情報によりフォーカス状態がフォーカス状態通知部６で検知される。このフォーカス状態通知部６から既述の拡大鏡機能付き遠距離撮影部にフォーカス状態が通知され（ステップＳ５１）、焦点距離が通知される（ステップＳ５２）。そこで、この焦点距離と遠距離機能使用距離とを比較し（ステップＳ５３）、遠距離機能が使用可能であるか否かが判定される（ステップＳ５４）。この判定は、遠距離撮影が可能であるか否かの判定である。
【０１１８】
遠距離機能が使用可能であれば（ステップＳ５４のＹＥＳ）、遠距離撮影モードに移行し、遠距離撮影画面１６８が表示され（ステップＳ５５）、このとき、既述の拡大鏡キー７８が表示される（ステップＳ５６）。
【０１１９】
この遠距離撮影画面１６８の表示状態では、キー操作により、写真撮影、拡大鏡機能又はズーム機能の各機能が選択可能である（ステップＳ５７）。そこで、この状態から、撮影キー７６を押下すれば、写真撮影に移行し（ステップＳ５８）、現在の遠距離撮影画面１６８に表示されている画像１７２（図１４）が取り込まれる。この場合、ズームによる画像拡大及び縮小や、拡大鏡機能には無関係となる。
【０１２０】
また、拡大鏡キー７８を押下すれば、撮影フレームの中心部の拡大エリア８０を抽出し、例えば、倍率を８倍にしたものを拡大画像１８２（図１５）として生成し、これを拡大鏡の映像として画像記憶部２２４に記録する（ステップＳ５９）。この拡大画像１８２を画像１７２に代えて表示する（ステップＳ６０）。利用者は、拡大画像１８２から遠距離撮影画面１６８の画像１７２の細部を確認することができる。
【０１２１】
この拡大画像１８２の表示状態では、既述の遠距離撮影キー１８３が表示される（ステップＳ６１）。この表示状態から撮影か遠距離撮影画面１６８に復帰するかの機能選択が行われ、選択されたキー操作を判定する（ステップＳ６２）。撮影キー７６を操作すれば、ステップＳ５８と同様に、写真撮影に移行し（ステップＳ６３）、遠距離画像１７２（図１４）が取り込まれる。即ち、拡大前の画像が取り込まれる。
【０１２２】
また、遠距離撮影キー１８３が押下された場合には、ステップＳ５５に戻り、拡大画像表示前の遠距離撮影画面１６８の表示に戻る。
【０１２３】
また、ステップＳ５７において、ズーム機能の選択は、ハードキーである上キー４６Ｕ又は下キー４６Ｄによって実行される。上キー４６Ｕは画像を拡大するための拡大キー、下キー４６Ｄは画像を縮小するための縮小キーに設定されている。そこで、上キー４６Ｕが押下されると、倍率を１レベル上昇（ステップＳ６４）、また、下キー４６Ｄが押下されると、倍率を１レベル下降（ステップＳ６５）の処理が連続的に行える。この場合、１レベルは、例えば、倍率で２倍程度とすればよい。このズーム機能は、拡大鏡機能と異なり、拡大又は縮小された画像が取込み画像となり、任意に設定された倍率の画像状態で撮影キー７６を押下すれば、表示されている画像が画像記憶部２２４に取り込まれる。
【０１２４】
以上説明したように、遠距離撮影においても、拡大鏡機能により拡大画像を生成して表示し、画像取込み前の遠距離画像の細部を確認でき、撮影機能の利便性を高めることができる。
【０１２５】
〔第７の実施の形態〕
【０１２６】
第７の実施の形態は近距離にいる人物や動物等の被写体を撮影する場合等に用いられるポートレート撮影モードに拡大鏡機能を適用したものである。
【０１２７】
この第７の実施の形態について、図１７及び図１８を参照する。図１７は、第７の実施の形態に係るポートレート撮影モードの画面表示の一例を示す図、図１８は、拡大表示画面の一例を示す図である。図１７及び図１８に示す構成は一例であって、斯かる構成に本発明が限定されるものではない。図１７及び図１８において、図４、図６、図７と同一部分には同一符号を付してある。
【０１２８】
ポートレート撮影モードの場合、図１７に示すように、ＬＣＤ２６の表示画面５８にポートレート撮影画面２６８が表示される。このポートレート撮影画面２６８にも同様に第１ないし第５の表示領域６８１、６８２、６８３、６８４、６８５が設定される。表示領域６８１には電話機能や時刻等が表示され、表示領域６８２にはモードを示すタイトル等が表示され、この場合、「ポートレート撮影」と表示され、現在動作中の機能がポートレート撮影モードであることを示している。
【０１２９】
表示領域６８３は主表示領域であって、撮影フレームの画像が表示され、ポートレート撮影モードを表すマーク７０ｃと、ポートレート撮影されたポートレート画像２７２が表示されている。表示領域６８４には撮影サイズの大きさ情報とともに、その撮影サイズに対応した撮影枚数の残量情報が表示される。
【０１３０】
そして、表示領域６８５はソフトキー表示領域であって、ソフトキーとしてメニューキー７４、撮影キー７６、拡大鏡キー７８がその機能情報「メニュー」、「撮影」、「拡大鏡」とともに表示される。メニューキー７４の操作は、ハードキーであるメニューキー４２に割り当てられ、撮影キー７６の操作は、ハードキーである決定キー４８に割り当てられ、拡大鏡キー７８の操作は、ハードキーである電話帳キー４４に割り当てられている。そこで、拡大鏡キー７８は発光表示とし、電話帳キー４４は点滅表示とすることにより、利用者に操作を促す構成としてもよい。
【０１３１】
この表示状態において、拡大鏡キー７８が割り当てられた電話帳キー４４を押下すれば、拡大鏡機能モードに移行する。この拡大鏡機能モードでは、電話帳キー４４の押下を契機に、拡大鏡機能が実行される。この拡大鏡機能では、撮影フレームの画像２７２の中央に設定された拡大エリア８０の画像（画像２７２の一部）が抽出され、その拡大画像２８２（図１８）が生成される。この拡大画像２８２は、図１８に示すように、表示領域６８２、６８３の全域に表示される。このとき、表示領域６８５には、ソフトキーとしてメニューキー７４、撮影キー７６が表示されるとともに、既述の拡大鏡キー７８に代え、ポートレート撮影キー２８３が表示される。これらのソフトキーを表す機能情報として、「メニュー」、「撮影」、「ポートレート撮影」が表示される。
【０１３２】
この拡大画像２８２の表示状態からポートレート撮影キー２８３を押下すれば、ポートレート撮影モードの画像２７２の表示状態に戻る（図１７）。この場合、拡大前の画像２７２が画像記憶部２２４に取り込まれる。また、拡大前の画像２７２の表示の後、再度、撮影キー７６を押下し、画像取込みを行う構成でもよい。
【０１３３】
次に、ポートレート撮影モードを含む撮影の処理手順について、図１９を参照する。図１９は、拡大鏡機能を含むポートレート撮影モードの処理手順の一例を示すフローチャートである。図１９に示す構成は一例であって、斯かる構成に本発明が限定されるものではない。
【０１３４】
この実施の形態では、カメラ機能部２Ａに既述の拡大鏡機能付き接写撮影部４（図１）に代えて拡大鏡機能付きポートレート撮影部、接写撮影モード切替え部１２に代えてポートレート撮影モード切替え部を備える構成とすればよい。この場合、拡大鏡機能付きポートレート撮影部は、ポートレート画像をその取込み前に拡大鏡機能によって拡大画像を表示させる機能部であり、ポートレート撮影モード切替え部は、ポートレート撮影モードに切り替え、ポートレート撮影モードを実行させるための機能部である。
【０１３５】
そこで、このポートレート撮影モードを含む撮影の処理手順は、撮影方法又は撮影プログラムの一例である。この処理手順においても、第１の実施の形態と同様に、撮影は、携帯電話機１６のメニュー画面からカメラ機能を起動させる。この撮影では、被写体から得られる画像情報によりフォーカス状態がフォーカス状態通知部６で検知される。このフォーカス状態通知部６から既述の拡大鏡機能付きポートレート撮影部にフォーカス状態が通知され（ステップＳ７１）、焦点距離が通知される（ステップＳ７２）。そこで、この焦点距離とポートレート機能使用距離とを比較し（ステップＳ７３）、ポートレート機能が使用可能であるか否かが判定される（ステップＳ７４）。この判定は、ポートレート撮影が可能であるか否かの判定である。
【０１３６】
ポートレート機能が使用可能であれば（ステップＳ７４のＹＥＳ）、ポートレート撮影モードに移行し、ポートレート撮影画面２６８が表示され（ステップＳ７５）、このとき、既述の拡大鏡キー７８が表示される（ステップＳ７６）。
【０１３７】
このポートレート撮影画面２６８の表示状態では、キー操作により、写真撮影、拡大鏡機能又はズーム機能の各機能が選択可能である（ステップＳ７７）。そこで、この状態から、撮影キー７６を押下すれば、写真撮影に移行し（ステップＳ７８）、現在のポートレート撮影画面２６８に表示されている画像２７２が取り込まれる。この場合、ズームによる画像拡大及び縮小や、拡大鏡機能には無関係となる。
【０１３８】
また、拡大鏡キー７８を押下すれば、撮影フレームの中心部の拡大エリア８０を抽出し、例えば、倍率を８倍にしたものを拡大画像２８２（図１８）として生成し、これを拡大鏡の映像として画像記憶部２２４に記録する（ステップＳ７９）。この拡大画像２８２を画像２７２に代えて表示する（ステップＳ８０）。利用者は、拡大画像２８２からポートレート撮影画面２６８の画像２７２の細部を確認することができる。
【０１３９】
この拡大画像２８２の表示状態では、既述のポートレート撮影キー２８３が表示される（ステップＳ８１）。この表示状態から撮影かポートレート撮影画面２６８に復帰するかの機能選択が行われ、選択されたキー操作を判定する（ステップＳ８２）。撮影キー７６を操作すれば、ステップＳ７８と同様に、写真撮影に移行し（ステップＳ８３）、ポートレート撮影画面２６８に表示されていたポートレート画像２７２（図１７）が取り込まれる。即ち、拡大前の画像が取り込まれる。
【０１４０】
また、ポートレート撮影キー２８３が押下された場合には、ステップＳ７５に戻り、拡大画像表示前のポートレート撮影画面２６８の表示に戻る。
【０１４１】
また、ステップＳ７７において、ズーム機能の選択は、ハードキーである上キー４６Ｕ又は下キー４６Ｄによって実行される。上キー４６Ｕは画像を拡大するための拡大キー、下キー４６Ｄは画像を縮小するための縮小キーに設定されている。そこで、上キー４６Ｕが押下されると、倍率を１レベル上昇（ステップＳ８４）、また、下キー４６Ｄが押下されると、倍率を１レベル下降（ステップＳ８５）の処理が連続的に行える。この場合、１レベルは、例えば、倍率で２倍程度とすればよい。このズーム機能は、拡大鏡機能と異なり、拡大又は縮小された画像が取込み画像となり、任意に設定された倍率の画像状態で撮影キー７６を押下すれば、表示されている画像が画像記憶部２２４に取り込まれる。
【０１４２】
以上説明したように、ポートレート撮影においても、拡大鏡機能により拡大画像を生成して表示し、画像取込み前のポートレート画像例えば、顔等の画像の細部を確認でき、撮影機能の利便性を高めることができる。
【０１４３】
〔第８の実施の形態〕
【０１４４】
第８の実施の形態は各表示画面からメニュー切替えのために移行させるメニュー表示画面を構成した場合である。
【０１４５】
この第８の実施の形態について、図２０を参照する。図２０は、第８の実施の形態に係るメニュー画面の表示を示す図である。図２０に示す構成は一例であって、斯かる構成に本発明が限定されるものではない。
【０１４６】
上記実施の形態では、接写撮影画面６８（図６）、遠距離撮影画面１６８（図１４）、ポートレート撮影画面２６８（図１７）、これらの拡大表示画面（図７、図１３、図１５、図１８）にはメニューキー７４が表示される。このメニューキー７４を操作した場合には、メニュー表示画面を表示する。
【０１４７】
このメニュー表示画面９０には、図２０に示すように、機能切替えのためのガイド表示９２とともに、切替え可能な機能表示９４として、拡大鏡、接写撮影、手書きメモ、バーコード読取り、メニュー画面の終了等が表示される。１．拡大鏡、２．接写撮影、３．手書きメモ、４．バーコード読取り、５．終了するの何れかにカーソルを重ね、決定キー４８（図４等）を押下すれば、カーソルで選択された機能が実行される。
【０１４８】
この場合、接写撮影に代え又は接写撮影の他、遠距離撮影、ポートレート撮影等、他の撮影モードの選択メニューを表示し、それらの選択を可能にしてもよい。
【０１４９】
斯かる構成とすれば、画像を切り替える機能として、機能一覧表示から選択し、最適な機能を自動的にメニュー表示し、また、優先的に行えるメニューにカーソルを重ねて表示する機能を備えるので、撮影機能の利便性を高めることができる。
【０１５０】
また、この実施の形態において、自動的にフォーカスを合わせる動作を行い、接写撮影状態になった場合は、接写撮影メニューの点滅表示を開始し、右ソフトキー（右側に表示されるソフトキー）となる電話帳キー４４を光で点滅させてもよいし、そのタイミングでキー表示された旨を音声にて通知してもよい。この場合、接写撮影状態でない場合には、接写撮影メニューを非表示とすればよい。接写撮影メニューの押下によって表示されるメニューはカメラが写している映像の状態により異ならせる構成としてもよい。
【０１５１】
被写体から得られた映像（画像）の内容から自動で判断し、例えば、バーコードが映っていると判断した場合はバーコードリーダに優先的に切替え可能なメニューを表示してもよい。
【０１５２】
カメラが写している映像の内容が通常の画面であった場合、従来の機能一覧が表示されている接写撮影メニューと同等の画面を表示してもよい。
【０１５３】
このような多様な画面表示とすれば、撮影機能をより拡充し、利便性を高めることができる。
【０１５４】
〔第９の実施の形態〕
【０１５５】
第９の実施の形態では拡大鏡機能に拡大画像の倍率切替え機能を付加した構成である。
【０１５６】
この第９の実施の形態について、図２１を参照する。図２１は、第９の実施の形態に係る倍率切替えを示す図である。図２１に示す構成は一例であって、斯かる構成に本発明が限定されるものではない。図２１において、図６と同一部分には同一符号を付してある。
【０１５７】
第１〜第８の実施の形態では、拡大画像の倍率は一例として８倍に固定したが、図２１に示すように、２倍〜８倍に変更可能にしてもよく、倍率についても８倍を超える倍率に設定してもよい。
【０１５８】
このように倍率を変更した場合には設定される例えば、倍率２〜８に応じ、拡大対象の画像面積を変更することができ、この場合、拡大エリア８０として、拡大倍率を２倍とした場合には拡大エリア８０２、拡大倍率を４倍とした場合には拡大エリア８０４、拡大倍率を８倍とした場合には拡大エリア８０８に設定することができる。これら拡大エリア８０２、８０４、８０８に対応し、拡大画像８２２、８２４、８２８が得られる。
【０１５９】
斯かる構成とすれば、拡大画像の倍率と、拡大対象に応じて拡大エリア８０２、８０４、８０８を選択することができるので、効率良く画面表示を行え、画像確認の容易化等、撮影機能の利便性が高められる。この場合、接写撮影、遠距離撮影、ポートレート撮影に応じて拡大エリア８０２、８０４、８０８を選択し、拡大画像の拡大倍率を設定し、変更可能としてもよい。
【０１６０】
〔他の実施の形態〕
【０１６１】
(1) 上記実施の形態では、撮影装置、撮影方法、撮影プログラム及び携帯端末装置の一例として携帯電話機１６を例示したが、本開示に係る撮影装置、撮影方法、撮影プログラム及び携帯端末装置は、例えば、カメラ機能を備える携帯情報端末機（ＰＤＡ：Personal Digital Assistant）９６（図２２）に適用してもよく、また、カメラ機能を備えるパーソナルコンピュータ（ＰＣ）９８（図２３）に適用してもよく、カメラ機能を搭載した電子機器であればどのようなものでもよく、携帯電話機１６に限定されない。
【０１６２】
(2) ＰＤＡ９６では、図２２に示すように、筐体１００に表示部１０２、カメラ部１０４、複数のハードキー１０６等を備えており、既述の携帯電話機１６と同様に接写撮影画面６８等を表示し、拡大鏡機能を搭載することにより、被写体から得られた画像の取込み前に拡大画像を表示部１０２の画面に表示し、画像確認を行え、撮影機能の拡充によってＰＤＡ９６の利便性を高めることができる。また、既述のソフトキーの表示、その点滅表示、ハードキーの発光又は点滅等により、利用者に操作を誘導し、場合によっては、音声によって操作を誘導することにより、撮影機能の利便性に加え、使い勝手の良い撮影装置としてのＰＤＡを提供することができる。
【０１６３】
(3) ＰＣ９８においても、図２３に示すように、可動側の筐体１０８に表示部１１０、カメラ部１１２を備えるとともに、筐体１０８をヒンジ部１０９で回動可能に支持する固定側の筐体１１１に複数のハードキー１１４等を備えており、既述の携帯電話機１６と同様に接写撮影画面６８等を表示し、拡大鏡機能を搭載することにより、被写体から得られた画像の取込み前に拡大画像を表示部１１０に表示し、画像確認を行え、撮影機能の拡充によってＰＣ９８においても利便性を高めることができる。また、ＰＣ９８においても、既述のソフトキーの表示、その点滅表示、ハードキーの発光又は点滅等により、利用者に操作を誘導し、場合によっては、音声によって操作を誘導することにより、撮影機能の利便性に加え、使い勝手の良い撮影装置としてのＰＣを提供することができる。
【０１６４】
(4) 上記実施の形態では、画面ピクト表示、ハードキーのＬＥＤ発光・点滅、音声又は音によるガイドを行うことができ、また、画面ソフトキー表示、その点滅（ハードキーと対となっている画面上に表示されるソフトキー）、音声によるガイダンス、ハードキーの点滅を行っているが、ソフトキーやハードキーの識別のための表示は上記の発光、点滅又は音声に限定されるものではない。
【０１６５】
(5) 上記実施の形態では、被写体から得た画像の一部から拡大画像をディジタル処理で生成させているが、拡大画像は、被写体から得た画像の全部から生成させ、表示部に表示する構成としてもよいし、拡大対象の画像を抽出する拡大エリアの位置も画像の中央である必要はなく、上部、下部又は左右の何れでもよいし、その位置を任意に変更するようにしてもよい。斯かる構成とすれば、撮影機能の利便性及び自由度をより高めることができる。
【０１６６】
(6) 上記実施の形態において、カーソルキー４６を拡大画像の拡大倍率指示手段として機能させ、即ち、カーソルキー４６の上キー４６Ｕ及び下キー４６Ｄに拡大倍率指示機能を割り当ててもよい。その場合、拡大画像が表示されている際に、カーソルキー４６の上キー４６Ｕ及び下キー４６Ｄの入力操作を有効にする。そこで、その拡大倍率の指示により、拡大画像生成部としての拡大鏡機能付き接写撮影部４が、指示された拡大倍率に基づき、画像を拡大又は縮小する構成としてもよい。
【０１６７】
(7) 上記実施の形態において、カーソルキー４６を拡大画像の拡大倍率指示手段として機能させ、係る拡大倍率指示手段、即ち、カーソルキー４６の上キー４６Ｕ及び下キー４６Ｄが拡大画像の表示の際に点滅する構成としてもよい。このような点滅表示により利用者に対し、必要な操作を促すことができる。
【０１６８】
次に、以上述べた実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１６９】
（付記１）  被写体を撮影する撮影装置であって、
被写体から得られる画像を表示する表示部と、
画像を記録する画像記録部と、
前記表示部に表示されている前記画像から一部又は全部の画像を抽出し、該画像から拡大画像を生成する拡大画像生成部と、
前記画像記録部に対する前記画像の取込み前に、前記拡大画像を前記表示部の前記画像に代え又は前記画像に重ねて表示する表示制御部と、
を備えることを特徴とする撮影装置。
【０１７０】
（付記２）  画像取込み指示を受け、前記拡大画像の抽出前の前記画像を前記画像記録部に記録させる画像記録制御部を備えることを特徴とする付記１記載の撮影装置。
【０１７１】
（付記３）  前記画像のフォーカス状態を前記拡大画像生成部に通知するフォーカス状態通知手段を備え、前記拡大画像生成部は、前記フォーカス状態に基づき、前記画像から前記拡大画像の対象である画像を抽出することを特徴とする付記１記載の撮影装置。
【０１７２】
（付記４）  前記画像の拡大指示を表す拡大指示手段を備え、該画像の拡大指示により、前記拡大画像生成部が前記画像の前記拡大画像への処理を行い、前記表示制御部が前記拡大画像生成部で生成した前記拡大画像を前記表示部に表示させることを特徴とする付記１記載の撮影装置。
【０１７３】
（付記５）  前記拡大指示手段は、装置筐体に配置されたキー及び／又は前記表示部に表示されたキーであることを特徴とする付記４記載の撮影装置。
【０１７４】
（付記６）  前記画像取込み指示は、装置筐体に配置されたキー及び／又は前記表示部に表示されたキーの操作に基づくことを特徴とする付記２記載の撮影装置。
【０１７５】
（付記７）  前記拡大画像に対する拡大倍率を指示する拡大倍率指示手段を備え、該拡大倍率指示手段の拡大倍率の指示により、前記拡大画像生成部は、指示された拡大倍率に基づき前記画像を拡大又は縮小することを特徴とする付記１記載の撮影装置。
【０１７６】
（付記８）  前記拡大倍率指示手段は、前記拡大画像が表示されている際に有効となり、その拡大倍率の指示により、前記拡大画像生成部が、指示された拡大倍率に基づき前記画像を拡大又は縮小することを特徴とする付記７記載の撮影装置。
【０１７７】
（付記９）  前記拡大倍率指示手段は、前記拡大画像が表示されている際に点滅することを特徴とする付記７記載の撮影装置。
【０１７８】
（付記１０）  前記拡大倍率指示手段は、装置筐体に配置されたキー及び／又は前記表示部に表示されたキーであることを特徴とする付記７記載の撮影装置。
【０１７９】
（付記１１）  被写体から画像を取得する撮影方法であって、
被写体から得られる画像を表示するステップと、
表示されている前記画像から一部又は全部の画像を抽出し、該画像から拡大画像を生成するステップと、
前記画像を記録手段に取り込む前に、前記拡大画像を表示中の前記画像に代え又は前記画像に重ねて表示するステップと、
を含むことを特徴とする撮影方法。
【０１８０】
（付記１２）  コンピュータによって実行させる撮影プログラムであって、
被写体から得られる画像を表示する機能と、
表示されている前記画像から一部又は全部の画像を抽出し、該画像から拡大画像を生成する機能と、
前記画像を記録手段に取り込む前に、前記拡大画像を表示中の前記画像に代え又は前記画像に重ねて表示する機能と、
を含み、前記コンピュータに実現させる撮影プログラム。
【０１８１】
（付記１３）  撮影機能を備える携帯端末装置であって、
被写体から得られる画像を表示する表示部と、
画像を記録する画像記録部と、
前記表示部に表示されている前記画像から一部又は全部の画像を抽出し、該画像から拡大画像を生成する拡大画像生成部と、
前記画像記録部に対する前記画像の取込み前に、前記拡大画像を前記表示部の前記画像に代え又は前記画像に重ねて表示する表示制御部と、
を備えることを特徴とする携帯端末装置。
【０１８２】
以上説明したように、撮影装置、撮影方法、撮影プログラム又は携帯端末装置の好ましい実施の形態について説明したが、本発明は、上記記載に限定されるものではなく、特許請求の範囲に記載され、又は発明を実施するための最良の形態に開示された発明の要旨に基づき、当業者において様々な変形や変更が可能であることは勿論であり、斯かる変形や変更が、本発明の範囲に含まれることは言うまでもない。
【産業上の利用可能性】
【０１８３】
本開示の撮影装置、撮影方法、撮影プログラム又は携帯端末装置は、被写体から得た画像のフォーカス状態から接写撮影モード等の機能を切り替え、また、被写体から得た画像の一部又は全部から拡大画像を生成させ、この拡大画像を被写体から得られている画像に代え又は重ねて表示し、記録する画像のフォーカス状態等、画像の細部を確認することができ、撮影機能を備える携帯端末装置の利便性を高めることができ、有用である。
【符号の説明】
【０１８４】
２Ａ、２Ｂ  カメラ機能部
４  拡大鏡機能付き接写撮影部
６  フォーカス状態通知部
８  メニューキー制御部
１０  通常モード撮影部
１２  接写撮影モード切替え部
１４  画面表示制御部
１６  携帯電話機
１８  カメラ装置部
２０  ＣＰＵ
２２  メモリ
２４  キー部
２６  ＬＣＤ
２８  音声入出力部
３０Ｌ、３０Ｒ  スピーカ
３２  レシーバ
３４  マイクロフォン
３６  第１の筐体部
３８  第２の筐体部
４０  ヒンジ部
４２  メニューキー
４４  電話帳キー
４６  カーソルキー
４６Ｕ  上カーソルキー
４６Ｄ  下カーソルキー
４６Ｌ  左カーソルキー
４６Ｒ  右カーソルキー
４８  決定キー
５０  開始キー
５２  終了／電源キー
５４  クリアキー
５６  記号キー
５８  表示画面
６０  インカメラ
６２  ＬＣＤ
６４  表示画面
６６  カメラ部
２２２  プログラム記憶部
２２４  画像記憶部
２２６  データ記憶部
２２８  ＲＡＭ
６８  接写撮影画面
６８１、６８２、６８３、６８４、６８５  表示領域
７２  画像
１７２  遠距離画像
２７２  ポートレート画像
２８２、１８２、２８２  拡大画像
【図１】
2010187331.tif 000003
【図２】
2010187331.tif 000004
【図３】
2010187331.tif 000005
【図４】
2010187331.tif 000006
【図５】
2010187331.tif 000007
【図６】
2010187331.tif 000008
【図７】
2010187331.tif 000009
【図８】
2010187331.tif 000010
【図９】
2010187331.tif 000011
【図１０】
2010187331.tif 000012
【図１１】
2010187331.tif 000013
【図１２】
2010187331.tif 000014
【図１３】
2010187331.tif 000015
【図１４】
2010187331.tif 000016
【図１５】
2010187331.tif 000017
【図１６】
2010187331.tif 000018
【図１７】
2010187331.tif 000019
【図１８】
2010187331.tif 000020
【図１９】
2010187331.tif 000021
【図２０】
2010187331.tif 000022
【図２１】
2010187331.tif 000023
【図２２】
2010187331.tif 000024
【図２３】
2010187331.tif 000025
【手続補正書】
【提出日】平成21年12月11日(2009.12.11)
【手続補正１】
【補正対象書類名】図面
【補正対象項目名】図２１
【補正方法】変更
【補正の内容】
【図２１】
2010187331.tif 000026